(57)【要約】【課題】撮影の趣味性、娯楽性、利便性を高めるための情報を簡易に入手することができる撮影機器通信システムを提供する。【解決手段】携帯撮影機器およびこの携帯撮影機器とともに移動するとともに通信を行う移動通信機器とを備え、移動通信機器は、地図データと、地図中に含まれる地域または地点の場所情報と、この場所情報で特定される地域・地点関連情報とを記録保存するデータベース部と、入力された場所情報に応じて、地域・地点関連情報を検索する検索部とを有し、検索された地域・地点関連情報を携帯撮影機器に送信し、携帯撮影機器は、被写体撮影を行う撮影部と、検索された地域・地点関連情報を受信して記憶保存する記憶部とを有することにより、上記課題を解決する。【選択図】図１
2004007503.tif 000002
【特許請求の範囲】
【請求項１】
携帯撮影機器およびこの携帯撮影機器とともに移動するとともに前記携帯撮影機器と通信を行う移動通信機器とを備える撮影機器通信システムであって、
前記移動通信機器は、地図データと、地図データで表される地図中に含まれる地域または地点の場所情報と、この場所情報で特定される地域または地点に関する地域・地点関連情報とを記録保存するデータベース部と、入力された場所情報に応じて、前記データベース部から対応する地域・地点関連情報を検索する検索部とを有し、この検索部で検索された地域・地点関連情報を前記携帯撮影機器に送信し、
前記携帯撮影機器は、被写体撮影を行う撮影部と、前記検索部で検索された地域・地点関連情報を受信して記憶保存する記憶部とを有することを特徴とする撮影機器通信システム。
【請求項２】
前記携帯撮影機器は、さらに、現在位置する位置情報を取得する位置情報取得部を有し、前記撮影部における撮影の際、取得した位置情報を少なくとも撮影情報として前記移動通信機器に送信し、
前記移動通信機器は、さらに、受信した前記撮影情報を用いて前記撮影部における撮影地点を前記地図データを用いて特定し、この撮影地点を前記場所情報として前記検索部へ入力する処理部を有し、前記検索部は、この処理部から入力される前記撮影地点に関する場所情報に応じて、前記データベース部から地域・地点関連情報を検索し、検索した前記撮影地点に関する地域・地点関連情報を前記携帯撮影機器に送信する請求項１に記載の撮影機器通信システム。
【請求項３】
前記携帯撮影機器は、前記撮影部で撮影する際の画像データを前記移動通信機器に送信し、
前記移動通信機器は、所定の地点から予め撮影した撮影被写体の画像データを登録画像データとして前記場所情報と対応付けて前記データベース部に記録保存しており、受信した前記撮影する際の画像データと前記登録画像データとを比較することによって前記撮影部における撮影地点および撮影する撮影被写体を特定し、特定された撮影地点および撮影被写体に関する地域・地点関連情報を前記検索部で検索して、前記携帯撮影機器に送信する請求項１に記載の撮影機器通信システム。
【請求項４】
前記移動通信機器は、外部サーバと通信を行い、
前記地域・地点関連情報は、前記地域または地点における物産品情報であり、前記移動通信機器は、前記物産品情報とともに、物産品注文入力用データを前記携帯撮影機器に送信し、
前記携帯撮影機器は、受信した物産品注文入力用データに書き込み入力がなされた後、前記移動通信機器に返送し、前記移動通信機器は、書き込みのなされた物産品注文入力用データを前記外部サーバに転送する請求項１に記載の撮影機器通信システム。
【請求項５】
前記移動通信機器は、さらに、記憶部を有し、
前記携帯撮影機器は、前記撮影部で撮影された画像データまたは前記書き込み入力がなされた物産品注文入力用データを前記移動通信機器に送信し、
前記移動通信機器は、前記撮影部で撮影された画像データまたは前記書き込み入力がなされた物産品注文入力用データを前記記憶部に保存する請求項４に記載の撮影機器通信システム。
【請求項６】
前記携帯撮影機器は、前記記憶部に保存された前記画像データまたは前記書き込み入力のなされた物産品注文入力用データを、前記外部サーバに転送する請求項４または５に記載の撮影機器通信システム。
【請求項７】
前記移動通信機器は、外部データベース部を有する外部サーバと通信を行い、この外部サーバから送信される前記外部データベース部の有する情報によって、前記データベース部の記録保存する前記地域・地点関連情報を追加、削除または更新する請求項１〜６のいずれかに記載の撮影機器通信システム。
【請求項８】
前記移動通信機器は、前記携帯撮影機器と通信可能な車載用通信機器または携帯用通信機器である請求項１〜７のいずれかに記載の撮影機器通信システム。
【請求項９】
前記車載用通信機器は、カーナビゲーション装置であり、前記携帯用通信機器は、ナビゲーション機能をもつ携帯電話、ハンドヘルドコンピュータまたはＰＤＡ（パーソナルデジタルアシスタント）である請求項８に記載の撮影機器通信システム。
【請求項１０】
前記携帯撮影機器は、前記移動通信機器と近距離通信を行うものである請求項１〜９のいずれかに記載の撮影機器通信システム。
【請求項１１】
前記携帯撮影機器は、前記移動通信機器と一体で移動する、または前記移動通信機器と近距離通信が可能な範囲内に維持された状態で移動するものである請求項１〜１０のいずれかに記載の撮影機器通信システム。
【請求項１２】
前記携帯撮影機器は、さらに、その前記記憶部の記憶容量に応じて、前記移動通信機器のデータベース部に記録保存されたコンテンツ情報または前記移動通信機器が外部サーバから通信によって取得したコンテンツ情報を前記移動通信機器から受信して前記記憶部に記憶しておき、前記携帯撮影機器の前記撮影部による前記被写体撮影の進行に従って、前記記憶部の記憶容量に応じて前記記憶部に記憶されている前記コンテンツ情報を削除し、または高圧縮率で圧縮して記憶し直し、前記被写体撮影によって取得された撮影画像データを記録保存するための空き容量を作るように前記記憶部を制御する第１記録制御部を有する請求項１〜１１のいずれかに記載の撮影機器通信システム。
【請求項１３】
前記第１記録制御部は、前記記憶部に記録保存された前記撮影画像データを前記移動通信機器に送信後、削除し、または高圧縮率で圧縮して記憶し直し、前記記憶部に新規なコンテンツ情報を記録保存するように制御する請求項１２に記載の撮影機器通信システム。
【請求項１４】
前記移動通信機器は、さらに、その前記データベース部の記憶容量に応じて、外部サーバから通信によって取得したコンテンツ情報を前記データベース部に記憶し、前記移動通信機器の移動に従って、前記データベース部の記憶容量に応じて前記データベース部に記憶されている前記コンテンツ情報を削除し、または高圧縮率で圧縮して記憶し直し、前記携帯撮影機器から受信した撮影画像データおよび／または外部サーバから受信したコンテンツ情報を記録保存するための空き容量を作るように前記データベース部を制御する第２記録制御部を有する請求項１〜１３のいずれかに記載の撮影機器通信システム。
【請求項１５】
前記第２記録制御部は、前記データベース部に記録保存された前記撮影画像データを外部サーバに送信後、削除し、または高圧縮率で圧縮して記憶し直し、前記データベース部に新規なコンテンツ情報を記録保存するように制御する請求項１４に記載の撮影機器通信システム。
【発明の詳細な説明】
【０００１】
【発明の属する技術分野】
本発明は、車両等の輸送手段で移動して目的地でカメラ等を用いて撮影する際に、目的地の地域・地点に関連する情報を移動中あるいは撮影の際に入手することができる撮影機器通信システムに関する。
【０００２】
【従来の技術】
近年、フィルムの代わりにＣＣＤ（Ｃｈａｒｇｅｄ　Ｃｏｕｐｌｅｄ　Ｄｅｖｉｃｅ）素子を使って静止画像をデジタル信号に変換して記録する、ディスプレイを備えたデジタルスチルカメラ（以下、単にデジタルカメラという）が広く普及している。デジタルカメラのディスプレイは、撮影の際のモニタとして用いられるばかりでなく、撮影した画像を後で見るために撮影画像を表示させたり、メモリースティック（商標）、スマートメディア（商標）、フレキシブルディスク等の記録媒体に記録された画像情報を表示することができる。
【０００３】
例えば、特許文献１には、写真撮影における趣味性、娯楽性、利便性を高めるための撮影場所に関する情報、撮影対象に関する情報、娯楽情報等の画像情報や文字情報をＩＣメモリやフレキシブルディスク等の記録媒体に記録し、撮影の際に記録媒体に記録された画像情報や文字情報をディスプレイに表示するプリントシステムが開示されている。
【０００４】
ところが、特許文献１に記載されたプリントシステムでは、撮影に先立ちプリント業者に依頼して、上記種々の情報を予め記録媒体に記録してもらわなければならず、情報を入手するのに手間がかかるという問題がある。
また、記録媒体の記憶容量には限りがあるため、一定量の情報しか入手することができない。そのため例えば目的地で詳細・的確な情報を入手したり、また最新の情報を入手することができない。
また、上記プリントシステムでは、パターン認識等により被写体が同定され、被写体に関する情報を入手することができる。しかし、パターン認識等には、高性能のＣＰＵが必要とされるため、高性能のＣＰＵを搭載したデジタルカメラ等を用いなければ、被写体に関する情報を入手することができない。
特に、旅行中観光スポットにおいて撮影の際の被写体の情報を随時入手することはできない。
【０００５】
【特許文献１】
特開２０００−１０５４３１号公報
【０００６】
【発明が解決しようとする課題】
本発明は、上記問題点を解決するために成されたものであり、撮影の趣味性、娯楽性、利便性を高めるための情報、例えば、目的地の観光スポットにおいて撮影する際の被写体の情報を簡易に入手することができる撮影機器通信システムを提供することを課題とする。
【０００７】
【課題を解決するための手段】
上記課題を解決するために、本発明は、携帯撮影機器およびこの携帯撮影機器とともに移動するとともに前記携帯撮影機器と通信を行う移動通信機器とを備える撮影機器通信システムであって、前記移動通信機器は、地図データと、地図データで表される地図中に含まれる地域または地点の場所情報と、この場所情報で特定される地域または地点に関する地域・地点関連情報とを記録保存するデータベース部と、入力された場所情報に応じて、前記データベース部から対応する地域・地点関連情報を検索する検索部とを有し、この検索部で検索された地域・地点関連情報を前記携帯撮影機器に送信し、前記携帯撮影機器は、被写体撮影を行う撮影部と、前記検索部で検索された地域・地点関連情報を受信して記憶保存する記憶部とを有することを特徴とする撮影機器通信システムを提供するものである。
【０００８】
ここで、前記携帯撮影機器は、さらに、現在位置する位置情報を取得する位置情報取得部を有し、前記撮影部における撮影の際、取得した位置情報を少なくとも撮影情報として前記移動通信機器に送信し、前記移動通信機器は、さらに、受信した前記撮影情報を用いて前記撮影部における撮影地点を前記地図データを用いて特定し、この撮影地点を前記場所情報として前記検索部へ入力する処理部を有し、前記検索部は、この処理部から入力される前記撮影地点に関する場所情報に応じて、前記データベース部から地域・地点関連情報を検索し、検索した前記撮影地点に関する地域・地点関連情報を前記携帯撮影機器に送信するのが好ましい。
【０００９】
また、前記携帯撮影機器は、前記撮影部で撮影する際の画像データを前記移動通信機器に送信し、前記移動通信機器は、所定の地点から予め撮影した撮影被写体の画像データを登録画像データとして前記場所情報と対応付けて前記データベース部に記録保存しており、受信した前記撮影する際の画像データと前記登録画像データとを比較することによって前記撮影部における撮影地点および撮影する撮影被写体を特定し、特定された撮影地点および撮影被写体に関する地域・地点関連情報を前記検索部で検索して、前記携帯撮影機器に送信するのが好ましい。また、前記移動通信機器は、外部サーバと通信を行い、前記地域・地点関連情報は、前記地域または地点における物産品情報であり、前記移動通信機器は、前記物産品情報とともに、物産品注文入力用データを前記携帯撮影機器に送信し、前記携帯撮影機器は、受信した物産品注文入力用データに書き込み入力がなされた後、前記移動通信機器に返送し、前記移動通信機器は、書き込みのなされた物産品注文入力用データを前記外部サーバに転送するのが好ましい。
【００１０】
また、前記移動通信機器は、さらに、記憶部を有し、前記携帯撮影機器は、前記撮影部で撮影された画像データまたは前記書き込み入力がなされた物産品注文入力用データを前記移動通信機器に送信し、前記移動通信機器は、前記撮影部で撮影された画像データまたは前記書き込み入力がなされた物産品注文入力用データを前記記憶部に保存するのが好ましい。
また、前記携帯撮影機器は、前記記憶部に保存された前記画像データまたは前記書き込み入力のなされた注文入力用データを、前記外部サーバに転送するのも好ましい。
また、前記移動通信機器は、外部データベース部を有する外部サーバと通信を行い、この外部サーバから送信される前記外部データベース部の有する情報によって、前記データベース部の記録保存する前記地域・地点関連情報を追加、削除または更新するのが好ましい。
【００１１】
また、前記移動通信機器は、前記携帯撮影機器と通信可能な車載用通信機器または携帯用通信機器であるのが好ましい。
また、前記車載用通信機器は、カーナビゲーションシステムであり、前記携帯用通信機器は、ウエアラブルナビゲーションシステムであるのが好ましい。
また、前記携帯撮影機器は、前記移動通信機器と近距離通信を行うものであるのが好ましい。
また、前記携帯撮影機器は、前記移動通信機器と一体で移動する、または前記移動通信機器と近距離通信が可能な範囲内に維持された状態で移動するものであるのが好ましい。
【００１２】
また、前記携帯撮影機器は、さらに、その前記記憶部の記憶容量に応じて、前記移動通信機器のデータベース部に記録保存されたコンテンツ情報または前記移動通信機器が外部サーバから通信によって取得したコンテンツ情報を前記移動通信機器から受信して前記記憶部に記憶しておき、前記携帯撮影機器の前記撮影部による前記被写体撮影の進行に従って、前記記憶部の記憶容量に応じて前記記憶部に記憶されている前記コンテンツ情報を削除し、または高圧縮率で圧縮して記憶し直し、前記被写体撮影によって取得された撮影画像データを記録保存するための空き容量を作るように前記記憶部を制御する第１記録制御部を有するのが好ましい。
また、前記第１記録制御部は、前記記憶部に記録保存された前記撮影画像データを前記移動通信機器に送信後、削除し、または高圧縮率で圧縮して記憶し直し、前記記憶部に新規なコンテンツ情報を記録保存するように制御するのが好ましい。
【００１３】
また、前記移動通信機器は、さらに、その前記データベース部の記憶容量に応じて、外部サーバから通信によって取得したコンテンツ情報を前記データベース部に記憶し、前記移動通信機器の移動に従って、前記データベース部の記憶容量に応じて前記データベース部に記憶されている前記コンテンツ情報を削除し、または高圧縮率で圧縮して記憶し直し、前記携帯撮影機器から受信した撮影画像データおよび／または外部サーバから受信したコンテンツ情報を記録保存するための空き容量を作るように前記データベース部を制御する第２記録制御部を有するのが好ましい。
また、前記第２記録制御部は、前記データベース部に記録保存された前記撮影画像データを外部サーバに送信後、削除し、または高圧縮率で圧縮して記憶し直し、前記データベース部に新規なコンテンツ情報を記録保存するように制御するのが好ましい。
【００１４】
【発明の実施の形態】
本発明に係る撮影機器通信システムを添付の図面に示す好適実施例に基づいて以下に詳細に説明する。
【００１５】
まず、本発明の第１の実施形態について説明する。第１の実施形態は、システム使用者が車両で目的地（例えば、観光地）に移動して、目的地に関する情報を移動中に入手するための撮影機器通信システムである。
図１は、本発明の第１の実施形態に係る撮影機器通信システム１０の一実施例の概略を示す構成図である。
図１に示す撮影機器通信システム１０は、車両１１０と、カーナビゲーション装置（以降、カーナビという）１２０と、デジタルカメラ１４０と、外部サーバ１６０とを有する。
【００１６】
車両１１０は、例えば、観光地等の目的地に移動するための移動手段であり、例えば、自家用車、観光バス等が例示されるが、本発明はこれに限定されず、例えば、電車、タクシー、自動二輪車であってもよい。
【００１７】
カーナビ１２０は、本発明における移動通信機器であり、車載用通信機器に該当するもので、車両１１０に搭載されている。
ここで、カーナビ１２０とは、ＧＰＳや地磁気センサーなどを使用して、モニタに表示された地図上に車両１１０の現在位置を表示しながら目的地まで誘導するシステムを備えた公知の装置である。
なお、本発明に用いられる車載用通信機器は、カーナビ１２０に限定されず、車両１１０に搭載されており、カーナビ１２０と同様なナビゲーション機能やナビゲーションシステムを備えていれば、どのような装置や機器であっても良く、例えば、他の用途に用いられるコンピュータであってもよい。
【００１８】
また、本発明に用いられる移動通信機器は、カーナビ１２０などの車載用通信機器に限定されず、デジタルカメラ１４０を携帯する撮影者が携帯するもので、カーナビ１２０と同様なナビゲーション機能やナビゲーションシステムを備えていれば、どのような装置や機器であっても良く、他の用途に用いられるものであっても良く、例えばハンドヘルドコンピュータまたはＰＤＡ（パーソナルデジタルアシスタント）であっても良いし、ウエアラブルコンピュータや、ウエアラブルナビゲーション装置であってもよい。なお、この移動通信機器は、携帯撮影機器によって撮影された画像データを始めとして、目的地や撮影地に関する地域・地点関連情報や登録画像データやなどをデータベースとして記録保存（記憶）するものであるので、十分な記憶容量を持つものであることはいうまでもない。もちろん、この移動通信機器は、携帯撮影機器に比べても、十分な記憶容量を持つものである。
【００１９】
カーナビ１２０は、地図データと、地図データで表される地図中に含まれる地域または地点の場所情報と、この場所情報で特定される地域または地点に関する地域・地点関連情報とを記録保存（記憶）するデータベース部１２２と、入力された場所情報およびデータ量に応じてデータベース部１２２から対応する地域・地点関連情報を検索する検索部１２４と、地図データで表される地図およびその中の地域や地点を表示するモニタ１２６と、モニタに表示された地図中の任意の地点・地域を場所情報として選択し、検索部１２４が検索すべきデータ量を設定する選択部１２８と、少なくともデジタルカメラ１４０と通信を行い、検索部１２４で検索された地域・地点関連情報をデジタルカメラ１４０に送信し、また、デジタルカメラ１４０で撮影された画像データを受信する通信部１３０と、デジタルカメラ１４０で撮影された画像データを保存（記憶）する記憶部１３２とを有する。
【００２０】
なお、通信部１３０は、デジタルカメラ１４０との間で通信、特に好ましくは近距離で通信を行うだけでなく、外部サーバ１６０とも通信を行うことができ、外部サーバ１６０から地域・地点関連情報を受信し、また、デジタルカメラ１４０から送信された画像データを外部サーバ１６０に転送することもできる。
【００２１】
また、通信部１３０を介して行われるデジタルカメラ１４０との間の通信は、無線で行われても有線で行われてもよい。ただし、デジタルカメラ１４０が車両１１０外で用いられる場合は、無線で行われる。また、外部サーバ１６０との間の通信は、無線で行われるのが好ましい。
【００２２】
以上のように構成されるカーナビ１２０は、本システム使用者より選択部１２８を用いて目的地が選択されると、車両１１０の現在位置および進路が表示された地図をモニタ１２６に表示して目的地まで車両１１０を誘導する他、目的地の地域または地点に関する地域・地点関連情報を検索する機能も有する。
ここで地域・地点関連情報としては、例えば、目的地（例えば、観光地）、または目的地を含む一定の範囲にある自然物（山、湖、川、動物、植物等）、建造物、名所、イベント等の情報が例示される。
【００２３】
なお、データベース部１２２に記録保存される地域・地点関連情報は、重要度で表されるランクがつけられており、検索部１２４が選択部１２８で設定されたデータ量の情報を、重要度の高い情報から順番に検索できるよう、重要度のランクで区分けされた階層構造として保存されるのが好ましい。
また、場所情報として入力される地域・地点に対応して検索部１２４で検索される地域・地点の広狭も選択部１２８で選択されるのも好ましい。
さらにまた、設定されたデータ量に応じて検索部１２４で検索される地域・地点の広狭が選択されるのも好ましい。
【００２４】
デジタルカメラ１４０は、本発明における携帯撮影機器に該当する。デジタルカメラ１４０は、カーナビ１２０などの移動通信機器と一体で移動する、または前記移動通信機器と近距離通信が可能な範囲内に維持された状態で移動するもので、しかも、カーナビ１２０などの移動通信機器と通信、好ましくは近距離通信を行う機能を持つもので、フィルムの代わりにＣＣＤを使い、静止画像をデジタル信号に変換して記録するカメラである。本発明に用いられるデジタルカメラ１４０は、通信機能を備えていれば、撮影機能としては、公知のデジタルカメラの機能を備えるものであれば良い。
【００２５】
なお、本発明に用いられる携帯撮影機器としては、デジタルカメラ１４０に限定されず、撮影機能および通信機能を持ち、移動通信機器と一体で移動する、または前記移動通信機器と近距離通信が可能な範囲内に維持された状態で移動するものであれば、どのような装置や機器でも良く、例えば、撮影機能を持つ携帯電話、撮影機能および通信機能を持つＰＤＡの他、通信機能を備え、撮影した映像と音声のアナログ信号をデジタル信号に変換して記録・再生するデジタルビデオカメラであってもよい。
デジタルカメラ１４０は、カーナビ１２０と通信を行う通信部１４２と、カーナビ１２０で検索された地域・地点関連情報を記録保存する記憶部１４４と、被写体撮影を行う撮影部１４６とを有する。撮影部１４６は、撮影した画像や地域・地点関連情報を表示するディスプレイを有する。
【００２６】
デジタルカメラ１４０は、車両１１０に搭載されたカーナビ１２０と通信を行うことで、カーナビ１２０が検索した地域・地点関連情報をシステム使用者に提供する機能を有する。
【００２７】
外部サーバ１６０は、雑貨や食料品を販売するコンビニエンスストア（以降コンビニという）、ファーストフード店、ファミリーレストラン、ガソリンスタンド等のチェーン・ストア、あるいはトンネルの入口や中央分離帯等の道路付近等に設置され、地域・地点関連情報を記録保存する外部データベース部１６２と、カーナビ１２０と通信を行う通信部１６４とを有する。
外部データベース部１６２に記録保存されている地域・地点関連情報は、外部サーバ１６０の設置された地域・地点の最新かつ詳細な情報であり、カーナビ１２０は、外部サーバ１６０と通信を行うことでデータベース部１２２に記録保存された地域・地点関連情報を追加、削除、または更新することができる。
なお、通信部１６４は、カーナビ１２０から送信される、例えば、画像データ等の情報を、（例えば、画像データに基づいてプリントを作成する画像処理装置およびプリンタ等の設置されたラボ店等のプリント業者に）転送できるのが好ましい。
本発明の第１の実施形態の撮影機器通信システム１０は、基本的に以上のように構成される。
【００２８】
次に、本実施形態の作用を説明する。
システム使用者が車両１１０にてカーナビ１２０を用いて目的地（例えば観光地）へ移動中、モニタ１２６に表示される地図中から目的地（例えば観光地）の地域・地点が場所情報として選択部１２８から選択されると、検索部１２４では場所情報としての地域・地点の入力によって特定される地域・地点関連情報がデータベース部１２２から検索される。
例えば、小田原が選択された場合は、モニタ１２６に表示された小田原に関する情報が検索される。また、前述のように、選択部１２８において検索すべき地域・地点の広狭も選択された場合は、例えば、小田原、箱根、真鶴、湯河原等の一定範囲の地域の関連情報が検索される。
【００２９】
なお、選択部１２８で、検索部１２４が検索すべき場所情報に加え、検索すべきデータ量も設定された場合は、検索部１２４では設定されたデータ量の地域・地点関連情報が、重要度のランクで区分けされた階層構造として記録保存されたデータベース部１２２から重要度の高い順に検索される。また、検索すべきデータ量に応じて上記地域・地点の範囲を変えるのも好ましい。
【００３０】
検索部１２４で検索された地域・地点関連情報は、通信部１３０を介してデジタルカメラ１４０に送信される。
【００３１】
デジタルカメラ１４０の通信部１４２では、カーナビ１２０から送信された地域・地点関連情報が受信され、受信された地域・地点関連情報は、記憶部１４４に保存される。
システム使用者は、このような処理を目的地への移動中に車両１１０内にて行うことができる。従って、システム使用者はカーナビ１２０を使いながら目的地に誘導されて到着し、車両１１０から降りる前に、あるいは降りた時には、すでに目的地に関する地域・地点関連情報を、デジタルカメラ１４０が記憶保存しているので、この後、記憶部１４２に保存された地域・地点関連情報の中から所望の情報を撮影部１４６のディスプレイに表示して、撮影の趣味性、娯楽性、利便性を高めることができる。
【００３２】
例えば、目的地でイベントが開催される場合は、イベント会場や開催の日時といった情報を用いることにより、間違いなくイベントに参加したり、見聞することができ、利便性を高めることができる。
また、イベントの見所や特徴といった情報を入手する事で、趣味性、娯楽性を高めることができる。
なお、イベントにて撮影を行う際、入手したイベントに関する地域・地点関連情報を、撮影部１４６で撮影した画像データに合成するのも好ましい。
【００３３】
なお、目的地への移動中に、外部サーバ１６０の設置されているコンビニ等のチェーン・ストアに立ち寄った際、カーナビ１２０は、通信部１６４を介して外部データベース部１６２に保存されている地域・地点関連情報を通信部１３０で受信して、カーナビ１２０のデータベース部１２２に保存されている地域・地点関連情報を追加、削除、または更新するのも好ましい。このように、移動中に外部サーバ１６０と通信を行うことで、外部データベース部１６２に保存される詳細かつ最新の地域・地点関連情報を入手することができる。
【００３４】
また、目的地からの帰宅中に、外部サーバ１６０の設置されているガソリンスタンド、コンビニ等に立ち寄った際、デジタルカメラ１４０の撮影部１４６で撮影され、カーナビ１２０に送信され、記憶部１３２に保存された画像データを注文データとともに外部サーバ１６０に送信し、外部サーバ１６０を介して、画像データおよび注文データに基づいてプリントを作成する画像処理装置およびプリンタの設置されたラボ店等のプリント業者に転送して、プリント注文するようにしてもよい。
【００３５】
このように、本発明の第１の実施形態によれば、車両による目的地への移動中に、地域・地点関連情報を簡易に入手することができ、撮影の趣味性、娯楽性、利便性を高めることができる。しかも、デジタルカメラ１４０の記憶部１４４のメモリ容量に応じたデータ量の地域・地点関連情報を入手することもできる。
【００３６】
次に、本発明の第２の実施形態について説明する。この第２の実施形態は、システム使用者が車両で（例えば観光地に）移動して、目的地で撮影する際に用いる情報を、撮影の際に入手するための撮影機器通信システムである。
図２は、本発明の第２の実施形態に係る車載用システム２０の概略を示す構成図の一実施例である。
図２に示す撮影機器通信システム２０は、車両２１０と、カーナビ２２０と、デジタルカメラ２４０と、外部サーバ２６０とを有する。
【００３７】
図２に示す撮影機器通信システム２０の車両２１０、カーナビ２２０、デジタルカメラ２４０および外部サーバ２６０は、それぞれ図１に示す撮影機器通信システム１０の車両１１０、カーナビ１２０、デジタルカメラ１４０および外部サーバ１６０と略同一の構成および機能を有する。また、図２に示すカーナビ２２０のデータベース部２２２、検索部２２４、モニタ２２６、選択部２２８、通信部２３０および記憶部２３２は、それぞれ図１に示すカーナビ１２０のデータベース部１２２、検索部１２４、モニタ１２６、選択部１２８、通信部１３０および記憶部１３２に相当する。また、図２に示すデジタルカメラ２４０の通信部２４２、記憶部２４４および撮影部２４６は、それぞれ図１に示すデジタルカメラ１４０の通信部１４２、記憶部１４４および撮影部１４６に相当する。従って、同一な構成および機能についての説明は省略し、相違点のみ説明する。
【００３８】
撮影機器通信システム２０は、撮影機器通信システム１０のように、モニタ２２６に表示された地図中の任意の地域・地点を選択部２２８で選択を行って地域・地点関連情報を入手するのではなく、システム使用者による撮影の際に、現在撮影しようとする位置情報を少なくとも含む撮影情報をカーナビ２２０に送信することで、撮影地点の地域・地点関連情報を入手するシステムである。
【００３９】
従って、カーナビ２２０は、さらに、デジタルカメラ２４０から送信される位置情報を少なくとも含む撮影情報を通信部２３０で受信し、受信した撮影情報に基づいて検索部２２４に入力する場所情報を特定する処理部２３４を有する。
また、デジタルカメラ２４０は、さらに、カーナビ２２０に送信する位置情報を少なくとも含む撮影情報を取得する位置情報取得部２４８を有し、取得した撮影情報を通信部２４２を介してカーナビ２２０に送信する。
なお、位置情報取得部２４８では、例えば、システム使用者がデジタルカメラ２４０に設けられたボタンを押すことで位置情報が取得される。
【００４０】
なお、位置情報取得部２４８は、例えばＧＰＳ（Ｇｌｏｂａｌ　Ｐｏｓｉｔｉｏｎｉｎｇ　Ｓｙｓｔｅｍ）を用いて、現在位置する位置情報を取得する。
なお、デジタルカメラ２４０からカーナビ２２０に送信される撮影情報には位置情報のほかに、例えば、デジタルカメラ２４０が備える方位計測装置で得られた撮影方向の情報を含めるのが好ましい。
本発明の第２の実施形態の撮影機器通信システム２０は、基本的に以上のように構成される。
【００４１】
次に、本実施形態の作用を説明する。
システム使用者は、車両２１０にてカーナビ２２０を用いて目的地に移動し、車両２１０を降りて、撮影地点にて撮影する。その際、システム使用者によってデジタルカメラ２４０の位置情報取得部２４８の所定のボタンが押されると、位置情報取得部２４８では位置情報が取得され、取得された位置情報を少なくとも含む撮影情報として、通信部２４２を介してカーナビ２２０に送信される。カーナビ２２０の通信部２３０では撮影情報が受信され、受信された撮影情報は、処理部２３４に送られる。処理部２３４では撮影情報に基づいた場所情報が特定され、特定された場所情報は、検索部２２４に送られる。
【００４２】
検索部２２４では入力された場所情報に応じて、データベース部２２２から撮影地点に関する地域・地点関連情報が検索される。
なお、選択部２２８で検索部２２４が検索すべきデータ量が事前に設定された場合は、検索部２２４では設定されたデータ量の地域・地点関連情報が、重要度のランクで区分けされた階層構造として記録保存されたデータベース部２２２から重要度の高い順に検索される。
なお、検索すべきデータ量を表す情報も撮影情報と共に送信して、デジタルカメラ２４０から検索部２２４で検索すべきデータ量を設定するのも好ましい。または、デジタルカメラ２４０の記憶部２４４のメモリ残量に応じて、カーナビ２２０側が、自動的にデータ量を判定することでも良い。
検索部２２４で検索された撮影地点に関する地域・地点関連情報は、通信部２３０を介してデジタルカメラ２４０に送信される。
【００４３】
デジタルカメラ２４０の通信部２４２では、カーナビ２２０から送信された撮影地点に関する地域・地点関連情報が受信され、記憶部２４４に保存される。
システム使用者は、このような処理を撮影地点で行って、撮影地点に関する地域・地点関連情報を撮影部２４６のディスプレイに表示して撮影の際の趣味性、娯楽性、利便性を高めることができる。
【００４４】
例えば、撮影地点に関する情報を撮影地点で入手することができるので利便性を高めることができる。また、例えば、システム使用者が山中にて撮影する場合においては、撮影地の山の高さや山の名称、さらには山に茂っている木の名称や山に生息している動物等、山に関する情報を撮影地点に関する地域・地点関連情報として入手して、納得した上で山を撮影することができ、趣味性、娯楽性を高めることができる。
なお、地域・地点関連情報には、動物や鳥の鳴き声等の音声情報を含め、動物や鳥の鳴き声を視聴できるようにするのも好ましい。また、撮影地点と撮影方向の情報より、撮影する山の名称や山の高さを入手することもできる。
なお、本実施例では、デジタルカメラ２４０とカーナビ２２０との間の通信は無線で行われるが、車両２１０内で通信を行う場合は有線で行われてもよい。
【００４５】
なお、撮影を行う際、入手した撮影地点に関する地域・地点関連情報も、撮影部２４６で撮影した画像データに合成してもよい。
撮影部２４６で撮影が行われると、撮影された画像データは、通信部２４２からカーナビ２２０の通信部２３０に送信され、記憶部２３２に保存される。
【００４６】
なお、目的地への移動中に、外部サーバ２６０の設置されているコンビニ等のチェーン・ストアに立ち寄った際、通信部２６４を介して外部データベース部２６２に保存されている地域・地点関連情報を通信部２３０で受信して、カーナビ２２０のデータベース部２２２に保存されている地域・地点関連情報を追加、削除、または更新してもよい。このようにして、外部データベース部２６２に保存される詳細かつ最新の地域・地点関連情報を入手することができる。
また、目的地からの帰宅中に、外部サーバ２６０の設置されているガソリンスタンド、コンビニ等に立ち寄った際、カーナビ２２０の記憶部２３２に保存された画像データを注文データとともに外部サーバ２６０に送信し、外部サーバ２６０を介して、画像データおよび注文データに基づいてプリントを作成する画像処理装置およびプリンタの設置されたラボ店等のプリント業者に転送して、プリント注文することも好ましい。
【００４７】
このように、本発明の第２の実施形態によれば、撮影に用いられる撮影地点の地域・地点関連情報を簡易に入手することができ、撮影の際の趣味性、娯楽性、利便性を高めることができる。しかも、デジタルカメラ２４０の記憶部２４４のメモリ容量に応じたデータ量の地域・地点関連情報を入手することもできる。
【００４８】
次に、本発明の第３の実施形態について説明する。この第３の実施形態は、システム使用者が車両で目的地に移動して、目的地でカメラを用いて撮影する際に所望の情報を入手するための撮影機器通信システムである。
図３は、本発明の第３の実施形態に係る車載用システム３０の概略を示す構成図の一実施例である。
図３に示す撮影機器通信システム３０は、車両３１０と、カーナビ３２０と、デジタルカメラ３４０と、外部サーバ３６０とを有する。
【００４９】
図３に示す撮影機器通信システム３０の車両３１０、カーナビ３２０、デジタルカメラ３４０および外部サーバ３６０は、それぞれ図１に示す撮影機器通信システム１０の車両１１０、カーナビ１２０、デジタルカメラ１４０および外部サーバ１６０と略同一の構成および機能を有する。また、図３に示すカーナビ３２０のデータベース部３２２、検索部３２４、モニタ３２６、選択部３２８、通信部３３０および記憶部３３２は、それぞれ図１に示すカーナビ１２０のデータベース部１２２、検索部１２４、モニタ１２６、選択部１２８、通信部１３０および記憶部１３２に相当する。また、図３に示すデジタルカメラ３４０の通信部３４２、記憶部３４４および撮影部３４６は、それぞれ図１に示すデジタルカメラ１４０の通信部１４２、記憶部１４４および撮影部１４６に相当する。従って、同一な構成および機能についての説明は省略し、相違点のみ説明する。
【００５０】
撮影機器通信システム３０は、撮影機器通信システム１０のように、モニタ３２６に表示された地図中の任意の地域・地点を選択部３２８で選択を行って地域・地点関連情報を入手するのではなく、システム使用者が撮影の際の撮影データをカーナビ３２０に送信することで、撮影地点および撮影被写体に関する地域・地点関連情報を入手するシステムである。
【００５１】
従って、カーナビ３２０の検索部３２４は、さらに、デジタルカメラ３４０から送信されて通信部３３０で受信された画像データと、所定の地点から予め撮影した撮影被写体の画像データを撮影場所情報と対応付けてデータベース部３２２に記録保存された登録画像データとを比較して、撮影の際の撮影地点および撮影する撮影被写体を特定する機能を有する。
本発明の第３の実施形態の撮影機器通信システム３０は、基本的に以上のように構成される。
【００５２】
次に、本実施形態の作用を説明する。
システム使用者は、車両３１０にてカーナビ３２０を用いて目的地に移動し、車両３１０を降りて、撮影地点にて被写体を撮影する。デジタルカメラ３４０の撮影部３４６で撮影された画像データは、通信部３４２に送られ、カーナビ３２０に送信される。なお、画像データは、被写体を特定することができる程度の圧縮画像データであればよい。カーナビ３２０の通信部３３０では、画像データが受信され、検索部３２４に送られる。検索部３２４では、場所情報と対応付けてデータベース部３２２に記録保存されている登録画像データと画像データとが比較され、撮影地点および撮影する撮影被写体が特定され、撮影地点および撮影被写体に関する地域・地点関連情報が検索される。
【００５３】
撮影被写体の特定は、画像内の撮影被写体の領域を抽出して、撮影被写体の形状を登録画像の被写体の形状とパターンマッチングを行うことで行う。その際、カーナビ３２０では、現在の車両３１０の位置を認識しているので、この位置が用いられて、比較する登録画像が取り出されるのがよい。また、デジタルカメラ３４０は、デジタルカメラ２４０と同様に、位置情報取得部を備えているので、撮影地点の情報や撮影方向の情報が画像データと共に送られて、比較される登録画像が取り出されてもよい。
【００５４】
なお、選択部３２８で、検索部３２４が検索すべきデータ量が事前に設定された場合は、検索部３２４では設定されたデータ量の地域・地点関連情報が、重要度のランクで区分けされた階層構造として記録保存されたデータベース部３２２から重要度の高い順に検索される。
なお、検索すべきデータ量を表す情報も画像データと共に送信して、デジタルカメラ３４０から検索部３２４で検索すべき情報量を設定するのも好ましい。
検索部３２４で検索された撮影地点および撮影被写体に関する地域・地点関連情報は、通信部３３０を介してデジタルカメラ３４０に送信される。
【００５５】
デジタルカメラ３４０の通信部３４２では、カーナビ３２０から送信された撮影地点および撮影被写体に関する地域・地点関連情報が受信され、記憶部３４４に保存される。
システム使用者は、このような処理を撮影の際に行って、撮影地点および撮影被写体に関する地域・地点関連情報を、記憶部３４４から呼び出して、撮影部３４６のディスプレイに表示するので、撮影の趣味性、娯楽性、利便性を高めることができる。
【００５６】
例えば、システム使用者が建造物を撮影する場合において、建造物の情報を入手したい場合は、建造物の情報および建造物が立地する地点の情報を撮影地点で入手することができるので、利便性を高めることができる。また、例えば建造物の名称、建造物の歴史、建造物の特徴等の情報を撮影地点および撮影被写体に関する情報として入手して、納得した上で建造物を撮影することができ、趣味性、娯楽性を高めることができる。
なお、本実施例では、デジタルカメラ３４０とカーナビ３２０との間の通信は無線で行われるが、車両３１０内で通信を行う場合は有線で行われてもよい。
【００５７】
なお、撮影を行う際、入手した撮影地点に関する地域・地点関連情報も、撮影部３４６で撮影した画像データに合成してもよい。
撮影部３４６で撮影が行われると、撮影された画像データは、通信部３４２からカーナビ３２０の通信部３３０に送信され、記憶部３３２に保存される。
【００５８】
なお、目的地への移動中に、外部サーバ３６０の設置されているコンビニ等のチェーン・ストアに立ち寄った際、通信部３６４を介して外部データベース部３６２に保存されている地域・地点関連情報を通信部３３０で受信して、カーナビ３２０のデータベース部３２２に保存されている地域・地点関連情報を追加、削除、または更新するのも好ましい。このようにして、外部データベース部３６２に保存される詳細かつ最新の地域・地点関連情報を入手することができる。
また、目的地からの帰宅中に、外部サーバ３６０の設置されているコンビニ等のチェーン・ストアに立ち寄った際、カーナビ３２０の記憶部３３２に保存された画像データを注文データとともに外部サーバ３６０に送信し、外部サーバ３６０を介して、画像データおよび注文データに基づいてプリントを作成する画像処理装置およびプリンタの設置されたラボ店等のプリント業者に転送して、プリント注文することも好ましい。
【００５９】
このように、本発明の第３の実施形態によれば、撮影に用いられる撮影地点および撮影被写体に関する地域・地点関連情報を簡易に入手することができ、撮影の際の趣味性、娯楽性、利便性を高めることができる。しかも、デジタルカメラ３４０の記憶部３４４のメモリ容量に応じたデータ量の地域・地点関連情報を入手することもできる。
また、高度の処理能力を要する画像データと登録画像データとの比較は、カーナビ３２０で行われるため、デジタルカメラ３４０の性能如何にかかわらず、被写体に関する情報を入手することができる。
【００６０】
次に、本発明の第４の実施形態について説明する。この第４の実施形態は、システム使用者が車両にて目的地に移動し、この目的地にて商品を発注する際に用いる情報を、移動中あるいは目的地で入手するための撮影機器通信システムである。
図４は、本発明の第４の実施形態に係る撮影機器通信システム４０の概略を示す構成図の一実施例である。
図４に示す撮影機器通信システム４０は、車両４１０と、カーナビ４２０と、デジタルカメラ４４０と、外部サーバ４６０とを有する。
【００６１】
図４に示す撮影機器通信システム４０の車両４１０、カーナビ４２０、デジタルカメラ４４０および外部サーバ４６０は、それぞれ図１に示す撮影機器通信システム１０の車両１１０、カーナビ１２０、デジタルカメラ１４０および外部サーバ１６０と略同一の構成および機能を有する。図４に示すカーナビ４２０のデータベース部４２２、検索部４２４、モニタ４２６、選択部４２８、通信部４３０および記憶部４３２は、それぞれ図１に示すカーナビ１２０のデータベース部１２２、検索部１２４、モニタ１２６、選択部１２８、通信部１３０および記憶部１３２に相当する。また、図４に示すデジタルカメラ４４０の通信部４４２、記憶部４４４および撮影部４４６は、それぞれ図１に示すデジタルカメラ１４０の通信部１４２、記憶部１４４および撮影部１４６に相当する。従って、同一な構成および機能についての説明は、省略し、相違点のみ説明する。
【００６２】
撮影機器通信システム４０は、基本的に、撮影機器通信システム１０、撮影機器通信システム２０、撮影機器通信システム３０のように、デジタルカメラ４４０を撮影に用いるのでなく、目的地（例えば観光地）で物産品を発注する際に用いるシステムである。
【００６３】
従って、カーナビ４２０のデータベース部４２２が記録保存する地域・地点関連情報は、地域・地点における物産品情報であり、データベース部４２２には物産品情報のほかに物産品を注文するための注文シートなど形式で表示されるような物産品注文入力データも記録保存されている。
カーナビ４２０は、物産品情報を物産品注文入力データとともにデジタルカメラ４４０に送信する。
一方、デジタルカメラ４４０は、さらに、カーナビ４２０から送信される物産品注文入力用データに書き込みを行う入力部４５０を有し、入力部４５０で書き込みのなされた物産品注文入力用データをカーナビ４２０に送信する。
【００６４】
ここで、物産品情報には、目的地（例えば、観光地）の物産品の画像情報、物産品の名称、特徴、価格等の文字情報等が例示される。
また、物産品注文入力用データには、注文データを書き込むと、入力した物産品の合計金額等を自動的に計算するプログラムを含めるのも好ましい。
本発明の第４の実施形態の撮影機器通信システム４０は、基本的に以上のように構成される。
【００６５】
以下、本実施形態の作用を説明する。
システム使用者は、車両４１０にて目的地に移動中に、目的地の入力を選択部４２８で行う。入力は、モニタ４２６に表示された地図の中から目的地の地域・地点を選択して行われる。地域・地点が場所情報として入力されると、検索部４２４では入力された場所情報に基づいて、場所情報に対応する物産品情報がデータベース部４２２から検索される。
なお、選択部４２８で検索部４２４が検索すべきデータ量も設定された場合には、検索部４２４では設定されたデータ量の物産品情報が、重要度のランクで区分けされた階層構造として記録保存されたデータ重要度の高い順検索される。
検索部４２４で検索された物産品情報は、同じく検索部４２４によってデータベース部４２２に記録保存された物産品注文入力用データとともに、通信部４３０を介してデジタルカメラ４４０に送信される。
なお、物産品情報および物産品注文入力用データの送信は、車両４１０内で移動中に行なわれる。
【００６６】
デジタルカメラ４４０の通信部４４２では、カーナビ４２０から送信された物産品情報と物産品注文入力用データが受信され、記憶部４４４に保存される。
システム使用者は、このような処理を目的地へ移動中に車両４１０内にて行うことができる。従って、システム使用者は、目的地に到着し、車両４１０から降りる前に、あるいは降りた直後に、記憶部４４２に保存された物産品情報を撮影部４４６のディスプレイに表示して、物産品の情報を入手することができる。
【００６７】
本実施形態においては、例えば、物産品情報を目的地に到着する前に入手することができ、予め購入したい物産品に目星をつけることでき、利便性を高めることができる。
また、目的地において、物産品を直に触れて確かめた後、納得した上で発注することができる。
ここで、システム使用者は、例えば、土産売り場で気になった物産品の情報を入手したい場合、本発明の第３の実施形態のように、撮影機器通信システム３０を用いて、物産品を特定して、物産品に関する情報を得るのも好ましい。
【００６８】
入力部４５０にて、物産品注文入力用データに注文データが書き込まれると、書き込みのなされた物産品注文入力用データは、通信部４４２に送られ、通信部４４２からカーナビ４２０の通信部４３０に送信され、記憶部４３２に保存される。カーナビ４２０への送信は、システム使用者が車両４１０に戻ってから行なわれてもよいし、例えば土産売り場から行われてもよい。
【００６９】
なお、車両４１０による目的地への移動中に、外部サーバ４６０の設置されているコンビニ等のチェーン・ストアに立ち寄った際、通信部４６４を介して外部データベース部４６２に保存されている物産品情報を通信部４３０で受信して、カーナビ４２０のデータベース部４２２に保存されている物産品情報を追加、削除、または更新するのも好ましい。このようにして、外部データベース部４６２に保存される詳細かつ最新の物産品情報を入手することができる。
また、目的地からの帰宅中に、外部サーバ４６０の設置されているガソリンスタンド、コンビニ等に立ち寄った際、カーナビ４２０の記憶部４３２に保存された書き込みのなされた物産品入力用データを外部サーバ４６０に送信し、外部サーバ４６０を介して、商品を発注する商品発注センタに転送して、商品を発注することも好ましい。
【００７０】
このように、本発明の第４の実施形態によれば、商品の発注に用いられる物産品情報を簡易に入手することができる。しかも、デジタルカメラ４４０の記憶部４４４のメモリ容量に応じたデータ量の物産品情報を入手することもできる。
【００７１】
図１〜図４に示す撮影機器通信システム１０、２０、３０および４０においては、カーナビ１２０、２２０、３２０および４２０の各データベース部１２２、２２２、３２２および４２２、ならびにデジタルカメラ１４０、２４０、３４０および４４０の各記憶部１４４、２４４、３４４および４４４には、撮影画像データや目的地や撮影地に関する地域・地点関連情報等を含む各種のコンテンツ情報が記録保存（記憶）されるが、それぞれ記憶容量には限界があるので、その記憶容量に応じて記録保存する記録内容を制御する記録制御部を有するのが好ましい。
以下の説明は、図１に示す撮影機器通信システム１０のカーナビ１２０のデータベース部１２２およびデジタルカメラ１４０の記憶部１４４に、それぞれ記録制御部１２３および１４５を備える場合を代表例とするが、本発明はこれに限定されず、図２〜４に示す撮影機器通信システム２０、３０および４０のカーナビ２２０、３２０および４２０の各データベース部２２２、３２２および４２２ならびにデジタルカメラ２４０、３４０および４４０の各記憶部２４４、３４４および４４４においても、同様にそれぞれ記録制御部を備え、同様に機能することはもちろんである。
【００７２】
図１に示す撮影機器通信システム１０のデジタルカメラ１４０においては、記録制御部１４５によって記憶部１４４に記憶される記憶内容が、以下のように制御される。
まず、デジタルカメラ１４０は、カーナビ１２０から各種のコンテンツ情報を受信して、受信した各種のコンテンツ情報を記憶部１４４に記録保存する。ここで、記憶部１４４は、デジタルカメラ１４０の内部メモリでも、メモリカードであっても良い。
ここで、コンテンツ情報は、カーナビ１２０本体、例えば、データベース部１２２から、またはカーナビ１２０経由で外部サーバやインターネット・サイトから、デジタルカメラ１４０に取り込まれるものである。
なお、コンテンツ情報としては、上述した地域・地点関連情報が含まれるのはもちろんであるが、地域・地点に関連しない情報であっても良いし、デジタルカメラ１４０で再生・実行できるものであれば、特に制限はなく、例えば、動画／静止画／音声／テキスト／プログラム（ゲームソフト）などを挙げることができる。
【００７３】
次に、デジタルカメラ１４０における撮影の進行に応じて、デジタルカメラ１４０の記億部１４４内のコンテンツ情報を削除し、撮影画像データの記録用の空きスペース（容量）を作る。
この時、例えば、例１として、コンテンツ情報の構造を詳細な情報から簡単な情報までの間を階層化し、詳細な情報から消去する。
例２として、車両１１０などの移動手段によって既に通過した地域や地点に関する情報を消去する。これは、特に、デジタルカメラ１４０がＧＰＳ機能付きカメラの場合に有効である。
例３として、コンテンツ情報がゲームソフトの場合、ゲーム（コンテンツ）においてクリアした場面の部分を消去する。
ここで、デジタルカメラ１４０内、例えば記憶部１４４には、記録したコンテンツの内容および利用状況を示す履歴情報を残すことが望ましい。
【００７４】
次に、デジタルカメラ１４０から撮影画像データをカーナビ１２０に転送後、記憶部１４４に新規にコンテンツ情報を記録する。
なお、新規コンテンツとして、内容的に連続するコンテンツの場合は、デジタルカメラ１４０内の履歴情報から前回の利用状況を反映して選択することが望ましい。
【００７５】
一方、図１に示す撮影機器通信システム１０のカーナビ１２０においては、記録制御部１２３によってデータベース部１２２に記録保存される記録内容が、以下のように制御される。
まず、カーナビ１２０の本体、すなわちデータベース部１２２に、外部サーバ（インターネットやデータベース等）から取り込んだ各種のコンテンツ情報を記録する。
次に、コンテンツ情報の内のオリジナル情報（撮影画像データ／目的地や撮影地などの出先で入手した地域・地点関連情報等）の記録容量に応じて、コンテンツ情報を消去していく。例えば、旅行の予定に基づいて、既に通過した地点に関するコンテンツ情報を先に廃棄していく。
この時、データベース部１２２の空いた記録エリア（空き容量）にデジタルカメラ１４０からの撮影画像データを記録する。
【００７６】
次に、データベース部１２２内の撮影画像データを、外部サーバ、またはインターネット経由でラボ店に伝送すると、撮影画像データを消去し、再び各種のコンテンツ情報を外部から取り込んで記録する。
上記のデジタルカメラ１４０の場合と同様に、カーナビ１２０内におけるコンテンツ履歴情報を利用して以前までの利用状況を反映させることが望ましい。
なお、図１に示す撮影機器通信システム１０のカーナビ１２０およびデジタルカメラ１４０においては、データベース部１２２または記憶部１４４における消去対象データ、すなわち消去の対象となるコンテンツ情報および撮影画像データを、完全な消去ではなく、圧縮率を高くして再構成することで、記憶容量の空き容量を増加させることでもよい。
【００７７】
上述したように、図１に示す撮影機器通信システム１０のカーナビ１２０およびデジタルカメラ１４０においては、記録制御部１２３および１４５によってそれぞれデータベース部１２２および記憶部１４４に記録保存（記憶）される記録（記憶）内容が、図５に示すように制御される。
すなわち、初期状態では、データベース部１２２または記憶部１４４の記憶容量のほとんどは、コンテンツ情報によって占有され、関連情報用領域となり、撮影が進行するにつれて、コンテンツ情報が削除され、関連情報用領域が減少し、撮影画像データが記録され、撮影データ用領域が増加する。ここで、撮影がある程度進行した後、撮影画像データを外部に転送することにより、撮影データ用領域を空き領域に戻して、例えば、図５の初期状態に戻して、データベース部１２２または記憶部１４４を繰り返し利用することができる。
以上のように、カーナビ１２０およびデジタルカメラ１４０のデータベース部１２２および記憶部１４４に記憶される記憶内容を、記録制御部１２３および１４５によって、図５に示すように制御することにより、メモリ容量をフル活用することができ、これにより利用できる各種コンテンツ情報量を向上させることができる。
【００７８】
また、本発明においては、システム使用者（ユーザ）同士の撮影画像やコンテンツ情報の交換を行っても良い。
撮影画像（撮影位置、さらには方位情報が付随する）を、公開許可フラグをＯＮにして外部サーバ１６０に登録すると、カーナビ１２０から、車両１１０が駐車したホテル／ＧＳ（ガソリンスタンド）／コンビニ等の外部サーバ１６０のデータベース部１６２に転送・保持され、第三者が利用できるようにする。
この時、撮影画像は、静止画でも動画でもよい、また、音声／テキスト等のメッセージ付きでもよい。
また、撮影画像のみならず、コンテンツ情報でも同様にすることができる。
また、撮影画像としては、ユーザによるデジタルカメラ１４０の撮影画像のみならず、車載カメラの撮影画像でもよい。車載カメラの撮影画像では、例えば、景色のよいドライブコース等がわかる。
また、コンテンツ情報として、移動の所要時間等の情報でもよい。これは、渋滞情報の代わりとして、利用することができる。
【００７９】
この時、登録画像や登録コンテンツ情報が参照された場合、その回数を累算して、提供者に何らかの利益還元を行ってもよい。
その他に、駐車中の車輌間で直接交信（カーナビ間通信）をしてもよい。
その結果、システム利用者側においては、地点毎の最新の撮影画像を事前チェック等に参照できる。また、撮影画像に限らず、コメントや広告等の情報交換ができるという効果がある。
また、外部サーバや外部データベースを用意する業者側においては、最新画像のデータ収集の手間が省けるという効果がある。
【００８０】
本発明において、撮影シーン主体で行き先を決定する目的で用いるユーザインタフェースとしては、以下のようなものを挙げることができる。
まず、第１に、カーナビ１２０の地図（広域）上で所定の地点をポイント指示する。この時、観光客全体の場所別および／または時間別の撮影頻度を重ねて表示してもよい。例えば、ホテルサーバで集計することにより、撮影者を問わず、最新の撮影画像が表示される。
第２に、上記において、複数地点での撮影画像を選択すると、その全ての地点を回って、撮影するための所要時間および最適通過経路をカーナビ１２０で見積もる。例えば、車両での移動、徒歩移動および標準的な撮影（鑑賞）行為にかかる合計時間を見積もることができる。さらに、駐車場情報や、駐車場から撮影地点までの移動距離・時間等を表示してもよい。
第３に、移動ルートが決まると、その中間での撮影ポイントの紹介も行っても良い。
第４に、各撮影画像毎に、上記の第１の場合よりも、詳細な地図上で、撮影地点／方向を表示させることもできる。さらに、撮影時のカメラ情報の表示も可能である。
【００８１】
なお、本発明の撮影機器通信システムは、上記各実施形態の実施例のように、１台の携帯撮影機器が１台の移動通信機器と通信を行うだけでなく、複数台の携帯撮影機器が１台の移動通信機器と通信を行い、各々の携帯撮影機器全てが、撮影等に用いる情報を入手するシステムであってもよい。
【００８２】
なお、本発明に係る撮影機器通信システムは、上記実施例に限定されるものでなく、本発明の趣旨を逸脱しない範囲において、各種の改良および変更を行ってもよいのはもちろんである。
【００８３】
【発明の効果】
以上、詳細に説明したように、本発明の撮影機器通信システムによれば、撮影や商品発注の際に用いられる情報を簡易に入手することができ、例えば、目的地の観光スポットにおいて撮影する際の被写体情報を簡易に入手することができ、撮影の趣味性、娯楽性、利便性を高めることができる。
また、本発明によれば、携帯撮影機器や移動通信機器のデータベース部や記憶部のメモリ容量をフル活用することができ、これにより利用できる各種コンテンツ情報量を向上させることができる。
【図面の簡単な説明】
【図１】本発明の第１の実施形態に係る撮影機器通信システムの概略を示す構成図の一実施例である。
【図２】本発明の第２の実施形態に係る撮影機器通信システムの概略を示す構成図の一実施例である。
【図３】本発明の第３の実施形態に係る撮影機器通信システムの概略を示す構成図の一実施例である。
【図４】本発明の第４の実施形態に係る撮影機器通信システムの概略を示す構成図の一実施例である。
【図５】本発明に係る撮影機器通信システムのデータベース部や記憶部における記録制御部による記憶内容の制御の一例を示す説明図である。
【符号の説明】
１０，２０，３０，４０　撮影機器通信システム
１１０，２１０，３１０，４１０　車両
１２０，２２０，３２０，４２０　カーナビ
１２２，２２２，３２２，４２２　データベース部
１２４，２２４，３２４，４２４　検索部
１２６，２２６，３２６，４２６　モニタ
１２８，２２８，３２８，４２８　選択部
１３０，２３０，３３０，４３０　通信部
１３２，２３２，３３２，４３２　記憶部
１４０，２４０，３４０，４４０　デジタルカメラ
１４２，２４２，３４２，４４２　通信部
１４４，２４４，３４４，４４４　記憶部
１４６，２４６，３４６，４４６　撮影部
１６０，２６０，３６０，４６０　外部サーバ
１６２，２６２，３６２，４６２　外部データベース部
１６４，２６４，３６４，４６４　通信部
２３４　処理部
２４８　位置情報取得部
４５０　入力部
【図１】
2004007503.tif 000003
【図２】
2004007503.tif 000004
【図３】
2004007503.tif 000005
【図４】
2004007503.tif 000006
【図５】
2004007503.tif 000007